(57)【要約】【課題】通報される異常状態の種類を自動的に識別し、地域停電などに基づく大量の通報情報で通報センタ装置が輻輳しないように、選択受信が可能な監視システムを提供する。【解決手段】監視通報装置３００が、停電、火災、地震など特定種類の異常状態を監視センタ装置１００に通報する場合、発信者番号通知を示す特番を付して発信し、それ以外の緊急性がある異常状態を通報する場合、発信者番号非通知を示す特番を付して発信する。一方、監視センタ装置１００は、監視通報装置３００からの着信時に、前記特定種類の異常状態の通報のための着信か否かを、発信元を示す発信者番号の有無により識別し、該特定種類の異常状態の通報を、あらかじめ定めた所定時間内に、同一監視地域内の他の監視通報装置も含めて、あらかじめ定めた規定件数以上に及ぶ件数分、既に受信していた場合には、当該着信呼を、通信フェーズに移行することなく、ただちに強制切断する。【選択図】        図１
2008097277.tif 000002
【特許請求の範囲】
【請求項１】
各地域に設置され、設置された地域で発生する異常状態を検知して該異常状態の発生を通報情報として通報する監視通報装置と、該監視通報装置からの通報情報を通信網を介して受け取って管理する監視センタ装置と、からなる監視システムにおいて、前記監視通報装置は、通報する異常状態のうち、あらかじめ定めた特定の種類の異常状態の発生を通報するための第１の通報情報と、該特定の種類以外の異常状態の発生を通報する第２の通報情報とを区別して異なる形態で発信する通信手段を備え、前記監視センタ装置は、前記監視通報装置からの着信呼の着信時に、当該着信呼によって通報される通報情報が前記第１の通報情報であるか前記第２の通報情報であるかを識別する通報情報識別手段と、該通報情報識別手段により前記第１の通報情報と識別した場合、あらかじめ定めた所定時間以内に、同一監視地域としてあらかじめ定めた同一の地域内に属する他の監視通報装置も含めて、あらかじめ定めた規定件数以上に及ぶ件数、同一監視地域から前記第１の通報情報を既に受信しているか否かを判別する件数判別手段と、該件数判別手段が、前記規定件数以上に及ぶ件数の前記第１の通報情報を同一監視地域に属する監視通報装置から既に受信していると判別した場合、着信した当該着信呼を、通信フェーズに移行することなく、ただちに切断する強制切断手段と、を少なくとも備え、前記監視センタ装置が、同一監視地域からの前記第１の通報情報を、前記所定時間内に前記規定件数以上に亘って、受信しないように制御することを特徴とする監視システム。
【請求項２】
請求項１に記載の監視システムにおいて、前記監視通報装置の前記通信手段は、前記第１の通報情報を通報するために発信する場合、発信者番号通知用の特番を付して発信し、前記第２の通報情報を通報するために発信する場合、発信者番号非通知用の特番を付して発信することを特徴とする監視システム。
【請求項３】
請求項２に記載の監視システムにおいて、前記監視センタ装置の前記通報情報識別手段は、着信時に、発信元の前記監視通報装置を示す発信者番号を受信したか否かに基づいて、前記第１の通報情報を通報するための着信か、あるいは、前記第２の通報情報を通報するための着信かを識別することを特徴とする監視システム。
【請求項４】
請求項１ないし３のいずれかに記載の監視システムにおいて、前記監視センタ装置の前記件数判別手段は、着信時に受信した発信者番号の中に含まれている局番号情報に基づいて、前記第１の通報情報の通報元の前記監視通報装置が属する監視地域を特定することにより、通報元の前記監視通報装置が属する同一監視地域から受信済みの前記第１の通報情報の件数を判別することを特徴とする監視システム。
【請求項５】
請求項１ないし４のいずれかに記載の監視システムにおいて、前記第１の通報情報として通報する前記特定の種類の異常状態として、停電の発生、火災の発生、地震を含む天変地異の発生のいずれかを少なくとも含むことを特徴とする監視システム。
【請求項６】
請求項１ないし５のいずれかに記載の監視システムにおいて、前記監視通報装置と前記監視センタ装置とは、アナログ通信網、ＩＳＤＮ通信網、無線通信網、パケット網のうち、いずれか任意の通信網に接続されていることを特徴とする監視システム。
【請求項７】
設置された地域で発生する異常状態を検知して該異常状態の発生の旨を通報する監視通報装置からの通報情報を、通信網を介して受け取って管理する監視センタ装置において、前記監視通報装置からの着信呼の着信時に、当該着信呼によって通報される通報情報が、あらかじめ定めた特定の種類の異常状態の発生を通報するための第１の通報情報であるか、あるいは、該特定の種類以外の異常状態の発生を通報する第２の通報情報であるかを識別する通報情報識別手段と、該通報情報識別手段により前記第１の通報情報と識別した場合、あらかじめ定めた所定時間以内に、同一監視地域としてあらかじめ定めた同一の地域内に属する他の監視通報装置も含めて、あらかじめ定めた規定件数以上に及ぶ件数、同一監視地域から前記第１の通報情報を既に受信しているか否かを判別する件数判別手段と、該件数判別手段が、前記規定件数以上に及ぶ件数の前記第１の通報情報を同一監視地域に属する監視通報装置から既に受信していると判別した場合、着信した当該着信呼を、通信フェーズに移行することなく、ただちに切断する強制切断手段と、を少なくとも備えていることを特徴とする監視センタ装置。
【請求項８】
請求項７に記載の監視センタ装置において、前記通報情報識別手段は、着信時に、発信元の前記監視通報装置を示す発信者番号を受信したか否かに基づいて、前記第１の通報情報を通報するための着信か、あるいは、前記第２の通報情報を通報するための着信かを識別することを特徴とする監視センタ装置。
【請求項９】
請求項７または８に記載の監視センタ装置において、前記件数判別手段は、着信時に受信した発信者番号の中に含まれている局番号情報に基づいて、前記第１の通報情報の通報元の前記監視通報装置が属する監視地域を特定することにより、通報元の前記監視通報装置が属する同一監視地域から受信済みの前記第１の通報情報の件数を判別することを特徴とする監視センタ装置。
【請求項１０】
各地域に設置され、設置された地域で発生する異常状態を検知して該異常状態の発生を通報情報として通報する監視通報装置において、通報する異常状態のうち、あらかじめ定めた特定の種類の異常状態の発生を通報するための第１の通報情報と、該特定の種類以外の異常状態の発生を通報する第２の通報情報とを区別して異なる形態で発信する通信手段を備えていることを特徴とする監視通報装置。
【請求項１１】
請求項１０に記載の監視通報装置において、前記通信手段は、前記第１の通報情報を通報するために発信する場合、発信者番号通知用の特番を付して発信し、前記第２の通報情報を通報するために発信する場合、発信者番号非通知用の特番を付して発信することを特徴とする監視通報装置。
【請求項１２】
各地域に設置され、設置された地域で発生する異常状態を検知して該異常状態の発生を通報情報として通報する監視通報装置と、該監視通報装置からの通報情報を通信網を介して受け取って管理する監視センタ装置と、からなる監視システムにおける通報情報送受信方法であって、前記監視通報装置は、通報する異常状態のうち、あらかじめ定めた特定の種類の異常状態の発生を通報するための第１の通報情報と、該特定の種類以外の異常状態の発生を通報する第２の通報情報とを区別して異なる形態で発信し、一方、前記監視センタ装置は、前記監視通報装置からの着信呼の着信時に、当該着信呼によって通報される通報情報が前記第１の通報情報であるか前記第２の通報情報であるかを識別し、前記第１の通報情報と識別した場合、あらかじめ定めた所定時間以内に、同一監視地域としてあらかじめ定めた同一の地域内に属する他の監視通報装置も含めて、あらかじめ定めた規定件数以上に及ぶ件数、同一監視地域から前記第１の通報情報を既に受信していると判別した場合、着信した当該着信呼を、通信フェーズに移行することなく、ただちに強制切断することを特徴とする通報情報送受信方法。
【請求項１３】
請求項１２に記載の通報情報送受信方法において、前記監視通報装置は、前記第１の通報情報を通報するために発信する場合、発信者番号通知用の特番を付して発信し、前記第２の通報情報を通報するために発信する場合、発信者番号非通知用の特番を付して発信することを特徴とする通報情報送受信方法。
【請求項１４】
請求項１３に記載の通報情報送受信方法において、前記監視センタ装置は、着信時に、発信元の前記監視通報装置を示す発信者番号を受信したか否かに基づいて、前記第１の通報情報を通報するための着信か、あるいは、前記第２の通報情報を通報するための着信かを識別することを特徴とする通報情報送受信方法。
【請求項１５】
請求項１２ないし１４のいずれかに記載の通報情報送受信方法において、前記監視センタ装置は、着信時に受信した発信者番号の中に含まれている局番号情報に基づいて、前記第１の通報情報の通報元の前記監視通報装置が属する監視地域を特定することにより、通報元の前記監視通報装置が属する同一監視地域から受信済みの前記第１の通報情報の件数を判別することを特徴とする通報情報送受信方法。
【請求項１６】
請求項１２ないし１５のいずれかに記載の通報情報送受信方法を、コンピュータにより実行可能なプログラムとして実施することを特徴とする通報情報送受信プログラム。
【請求項１７】
請求項１６に記載の通報情報送受信プログラムを、コンピュータにより読み取り可能な記録媒体に記録していることを特徴とするプログラム記録媒体。
【発明の詳細な説明】
【技術分野】
【０００１】
本発明は、監視システム、監視センタ装置、監視通報装置、通報情報送受信方法、通報情報送受信プログラム、ならびに、プログラム記録媒体に関する。
【背景技術】
【０００２】
例えば、特許文献１の特開２００６−７２５６３号公報「監視通報装置」に記載されているように、犯罪の発生などのような緊急性がある情報を如何に早く通報できるかは、防犯の要の一つであり、その通報の遅延は絶対に避けるべきである。しかし、監視通報装置が検出した異常を監視センタ装置に通報しようとしても、通報が遅延してしまうことがある。
【０００３】
通報遅延の発生要因の一つとして、通報先の監視センタ装置等の回線の輻輳によるものがあり、特に、台風などの災害により特定地域が一斉に停電になって、当該特定地域から地域停電に関する通報が集中的に発生すると、監視センタ装置が輻輳状態に陥ってしまう場合がある。かかる輻輳状態に陥ると、地域停電以外の緊急性がある通報を、異常状態の発生と同時に、ただちには、通報することができなくなり、監視センタ装置への通報が大幅に遅れてしまう結果を招く。すなわち、停電、火災の発生や、あるいは、地震等の天変地異の発生等の特定の種類の異常状態の発生を通報情報（以下、第１の通報情報と称する）として通報する場合に加えて、さらに、犯罪や事故の発生等の緊急性のある異常状態の発生を通報情報（以下、第２の通報情報と称する）として通報する監視システムにおいては、例えば地域停電が発生した場合、当該地域に属する複数の各監視通報装置から監視センタ装置に対して停電通報情報が一斉に殺到してしまうような動作が行われる。
【０００４】
このため、前記特許文献１においては、監視センタ装置側の回線の輻輳の発生を軽減し、停電以外の緊急性のある通報情報つまり第２の通報情報をより早く受信して対応することを可能とするために、通報情報を送信する通報元の監視通報装置側に、監視センタ装置側へ停電に関する通報情報つまり第１の通報情報を通報するか否かを制御する制御情報を利用者が設定可能な警備状態設定手段を用意することとし、該警備状態設定手段に利用者が停電通報情報の通報を行うように設定していた場合に限って、停電通報情報つまり第１の通報情報を通報するという仕組みを提案している。
【０００５】
このような仕組みを適用することによって、地域停電が発生した場合のように、大量の停電通報情報が監視センタ装置に一斉に殺到する事態を低減して、例えば犯罪の発生等の緊急性の高い通報情報つまり第２の通報情報をより確実に受信することを可能とし、もって、より良い防犯効果を提供することができるようにしている。
【特許文献１】特開２００６−０７２５６３号公報（第４−５頁）
【発明の開示】
【発明が解決しようとする課題】
【０００６】
しかしながら、前記特許文献１のように、監視通報装置側の利用者によって停電通報情報の通報を行うか否かを決定するような監視システムにおいては、同一の監視地域に存在する大半の監視通報装置の利用者が、停電通報情報の通報動作を抑止するように設定されていることが必要であり、かかる設定が一部の利用者に限られてしまうと、多くの監視通報装置からの停電通報情報によって通報先である監視センタ装置側の回線が輻輳してしまい、停電以外の緊急性のある通報が発生しても、監視センタ装置側では、ただちには受信することができず、緊急性がある通報の受信が遅れてしまうという問題を解決することができない。さらには、監視通報装置や監視センタ装置の利用者の判断によって、例えば停電に関する通報情報つまり第１の通報情報を通報する動作を決定するような仕組みでは、輻輳状態の発生を確実に防止可能とする保証を得ることもできない。
【０００７】
そこで、本発明の目的は、監視通報装置から、停電や火災の発生や地震などの天変地異の発生等の特定の種類の異常状態の発生を通報する通報情報つまり第１の通報情報によって監視センタ装置に輻輳状態が発生しないように、監視通報装置は、通報情報の種別（前記第１の通報情報か、あるいは、犯罪や事故の発生など前記特定の種類以外の緊急性がある異常状態の発生を通報する通報情報つまり第２の通報情報かの種別）を、着信時に自動的に識別することにより、地域停電などに基づく大量の通報情報で通報センタ装置が輻輳しないように、通報情報を選択して受信することが可能な監視システム、監視センタ装置、監視通報装置、通報情報送受信方法、通報情報送受信プログラム、ならびに、プログラム記録媒体を提供することにある。
【課題を解決するための手段】
【０００８】
前述の課題を解決するため、本発明による監視システム、監視センタ装置、監視通報装置、通報情報送受信方法、通報情報送受信プログラム、ならびに、プログラム記録媒体は、次のような特徴的な構成を採用している。
【０００９】
（１）各地域に設置され、設置された地域で発生する異常状態を検知して該異常状態の発生を通報情報として通報する監視通報装置と、該監視通報装置からの通報情報を通信網を介して受け取って管理する監視センタ装置と、からなる監視システムにおいて、前記監視通報装置は、通報する異常状態のうち、あらかじめ定めた特定の種類の異常状態の発生を通報するための第１の通報情報と、該特定の種類以外の異常状態の発生を通報する第２の通報情報とを区別して異なる形態で発信する通信手段を備え、前記監視センタ装置は、前記監視通報装置からの着信呼の着信時に、当該着信呼によって通報される通報情報が前記第１の通報情報であるか前記第２の通報情報であるかを識別する通報情報識別手段と、該通報情報識別手段により前記第１の通報情報と識別した場合、あらかじめ定めた所定時間以内に、同一監視地域としてあらかじめ定めた同一の地域内に属する他の監視通報装置も含めて、あらかじめ定めた規定件数以上に及ぶ件数、同一監視地域から前記第１の通報情報を既に受信しているか否かを判別する件数判別手段と、該件数判別手段が、前記規定件数以上に及ぶ件数の前記第１の通報情報を同一監視地域に属する監視通報装置から既に受信していると判別した場合、着信した当該着信呼を、通信フェーズに移行することなく、ただちに切断する強制切断手段と、を少なくとも備え、前記監視センタ装置が、同一監視地域からの前記第１の通報情報を、前記所定時間内に前記規定件数以上に亘って、受信しないように制御する監視システム。
（２）上記（１）の監視システムにおいて、前記監視通報装置の前記通信手段は、前記第１の通報情報を通報するために発信する場合、発信者番号通知用の特番を付して発信し、前記第２の通報情報を通報するために発信する場合、発信者番号非通知用の特番を付して発信する監視システム。
（３）上記（２）の監視システムにおいて、前記監視センタ装置の前記通報情報識別手段は、着信時に、発信元の前記監視通報装置を示す発信者番号を受信したか否かに基づいて、前記第１の通報情報を通報するための着信か、あるいは、前記第２の通報情報を通報するための着信かを識別する監視システム。
（４）上記（１）ないし（３）のいずれかの監視システムにおいて、前記監視センタ装置の前記件数判別手段は、着信時に受信した発信者番号の中に含まれている局番号情報に基づいて、前記第１の通報情報の通報元の前記監視通報装置が属する監視地域を特定することにより、通報元の前記監視通報装置が属する同一監視地域から受信済みの前記第１の通報情報の件数を判別する監視システム。
（５）上記（１）ないし（４）のいずれかの監視システムにおいて、前記第１の通報情報として通報する前記特定の種類の異常状態として、停電の発生、火災の発生、地震を含む天変地異の発生のいずれかを少なくとも含む監視システム。
（６）上記（１）ないし(５)のいずれかの監視システムにおいて、前記監視通報装置と前記監視センタ装置とは、アナログ通信網、ＩＳＤＮ通信網、無線通信網、パケット網のうち、いずれか任意の通信網に接続されている監視システム。
（７）設置された地域で発生する異常状態を検知して該異常状態の発生の旨を通報する監視通報装置からの通報情報を、通信網を介して受け取って管理する監視センタ装置において、前記監視通報装置からの着信呼の着信時に、当該着信呼によって通報される通報情報が、あらかじめ定めた特定の種類の異常状態の発生を通報するための第１の通報情報であるか、あるいは、該特定の種類以外の異常状態の発生を通報する第２の通報情報であるかを識別する通報情報識別手段と、該通報情報識別手段により前記第１の通報情報と識別した場合、あらかじめ定めた所定時間以内に、同一監視地域としてあらかじめ定めた同一の地域内に属する他の監視通報装置も含めて、あらかじめ定めた規定件数以上に及ぶ件数、同一監視地域から前記第１の通報情報を既に受信しているか否かを判別する件数判別手段と、該件数判別手段が、前記規定件数以上に及ぶ件数の前記第１の通報情報を同一監視地域に属する監視通報装置から既に受信していると判別した場合、着信した当該着信呼を、通信フェーズに移行することなく、ただちに切断する強制切断手段と、を少なくとも備えている監視センタ装置。
（８）上記（７）の監視センタ装置において、前記通報情報識別手段は、着信時に、発信元の前記監視通報装置を示す発信者番号を受信したか否かに基づいて、前記第１の通報情報を通報するための着信か、あるいは、前記第２の通報情報を通報するための着信かを識別する監視センタ装置。
（９）上記（７）または（８）の監視センタ装置において、前記件数判別手段は、着信時に受信した発信者番号の中に含まれている局番号情報に基づいて、前記第１の通報情報の通報元の前記監視通報装置が属する監視地域を特定することにより、通報元の前記監視通報装置が属する同一監視地域から受信済みの前記第１の通報情報の件数を判別する監視センタ装置。
（１０）各地域に設置され、設置された地域で発生する異常状態を検知して該異常状態の発生を通報情報として通報する監視通報装置において、通報する異常状態のうち、あらかじめ定めた特定の種類の異常状態の発生を通報するための第１の通報情報と、該特定の種類以外の異常状態の発生を通報する第２の通報情報とを区別して異なる形態で発信する通信手段を備えている監視通報装置。
（１１）上記（１０）の監視通報装置において、前記通信手段は、前記第１の通報情報を通報するために発信する場合、発信者番号通知用の特番を付して発信し、前記第２の通報情報を通報するために発信する場合、発信者番号非通知用の特番を付して発信する監視通報装置。
（１２）各地域に設置され、設置された地域で発生する異常状態を検知して該異常状態の発生を通報情報として通報する監視通報装置と、該監視通報装置からの通報情報を通信網を介して受け取って管理する監視センタ装置と、からなる監視システムにおける通報情報送受信方法であって、前記監視通報装置は、通報する異常状態のうち、あらかじめ定めた特定の種類の異常状態の発生を通報するための第１の通報情報と、該特定の種類以外の異常状態の発生を通報する第２の通報情報とを区別して異なる形態で発信し、一方、前記監視センタ装置は、前記監視通報装置からの着信呼の着信時に、当該着信呼によって通報される通報情報が前記第１の通報情報であるか前記第２の通報情報であるかを識別し、前記第１の通報情報と識別した場合、あらかじめ定めた所定時間以内に、同一監視地域としてあらかじめ定めた同一の地域内に属する他の監視通報装置も含めて、あらかじめ定めた規定件数以上に及ぶ件数、同一監視地域から前記第１の通報情報を既に受信していると判別した場合、着信した当該着信呼を、通信フェーズに移行することなく、ただちに強制切断する通報情報送受信方法。
（１３）上記（１２）の通報情報送受信方法において、前記監視通報装置は、前記第１の通報情報を通報するために発信する場合、発信者番号通知用の特番を付して発信し、前記第２の通報情報を通報するために発信する場合、発信者番号非通知用の特番を付して発信する通報情報送受信方法。
（１４）上記（１３）の通報情報送受信方法において、前記監視センタ装置は、着信時に、発信元の前記監視通報装置を示す発信者番号を受信したか否かに基づいて、前記第１の通報情報を通報するための着信か、あるいは、前記第２の通報情報を通報するための着信かを識別する通報情報送受信方法。
（１５）上記（１２）ないし（１４）のいずれかの通報情報送受信方法において、前記監視センタ装置は、着信時に受信した発信者番号の中に含まれている局番号情報に基づいて、前記第１の通報情報の通報元の前記監視通報装置が属する監視地域を特定することにより、通報元の前記監視通報装置が属する同一監視地域から受信済みの前記第１の通報情報の件数を判別する通報情報送受信方法。
（１６）上記（１２）ないし（１５）のいずれかの通報情報送受信方法を、コンピュータにより実行可能なプログラムとして実施する通報情報送受信プログラム。
（１７）上記（１６）の通報情報送受信プログラムを、コンピュータにより読み取り可能な記録媒体に記録しているプログラム記録媒体。
【発明の効果】
【００１０】
本発明の監視システム、監視センタ装置、監視通報装置、通報情報送受信方法、通報情報送受信プログラム、ならびに、プログラム記録媒体によれば、以下のような効果を奏することができる。すなわち、同一の監視地域としてあらかじめ定めた同一の地域内に地域停電や火災やあるいは地震などの天変地異等、大量の通報情報が送信される可能性が高い特定の種類の異常状態が発生した場合に、当該同一の監視地域に設置されている各監視通報装置から通報先である監視センタ装置に対して、前記特定の種類の異常状態の発生を示す通報情報つまり第１の通報情報を一斉に通報してきた場合であっても、監視センタ装置は、同一の監視地域における地域停電等による第１の通報情報を通報するための着信か否かを着信時に自動的に判別することができ、さらに、着信呼が、第１の通報情報の通報用であり、かつ、あらかじめ定めた規定件数以上を既に受信済みであった場合には、通信フェーズに移行することなく、監視センタ装置側から、送信元の監視通報装置に対して、ただちに切断指示を返送することによって、監視センタ装置側の回線の負荷を軽減し、輻輳状態に陥ることを防止することができるので、同一監視地域からの地域停電などの第１の通報情報以外の緊急性のある通報情報をより確実に受信することができる。
【発明を実施するための最良の形態】
【００１１】
以下、本発明による監視システム、監視センタ装置、監視通報装置、通報情報送受信方法、通報情報送受信プログラム、ならびに、プログラム記録媒体の好適実施形態例について添付図を参照して説明する。
【００１２】
(本発明の特徴)
まず、本発明による監視システムの特徴について、その要点を説明する。各地域における異常状態の発生を検知してその旨を通報情報として監視センタ装置側に通報する各監視通報装置に、例えば停電や火災の発生、地震等の天変地異の発生を通報するための通報情報（つまり第１の通報情報）の通報と、第１の通報情報以外の例えば犯罪や事故の発生等の緊急性がある通報情報（つまり第２の通報情報）の通報とを区別して異なる形態で発信する通信手段として、例えば発信者番号通知の有無を示す特番（すなわち、‘１８６’、‘１８４’）の付与機能を利用する。
【００１３】
一方、監視センタ装置には、監視通報装置からの着信呼の着信時に、第１の通報情報の通報用か、第２の通報情報の通報用かを識別する通報情報識別手段として、例えば着信情報に発信者番号を受信しているか否かを識別する機能を備え、かかる通報情報識別手段を備えた監視センタ装置において、さらに、あらかじめ定めた所定時間以内に、同一監視地域としてあらかじめ定めた同一の地域内に属する他の監視通報装置も含めて、あらかじめ定めた規定件数以上に及ぶ件数の、第１の通報情報を既に受信しているか否かを判別する件数判別手段と、前記規定件数以上に及ぶ件数の前記第１の通報情報を同一監視地域に属する監視通報装置から既に受信していると判別した場合、着信した当該着信呼を、通信フェーズに移行することなく、ただちに切断する強制切断手段と、を備えることによって、監視通報装置からの地域停電等による第１の通報情報が集中したような場合であっても、当該第１の通報情報以外の緊急性のある通報情報をより確実に取り込むことを可能としている。
【００１４】
つまり、通報元の監視通報装置は、第１の通報情報を通報する発呼か、第２の通報情報を通報する発呼かを区別して、例えば当該監視通報装置の発信者番号を監視センタ装置へ通知することを指示する特番‘１８６’と通知しないことを指示する特番‘１８４’とのいずれかを宛先の監視センタ装置の電話番号の先頭に付加する仕組みとし、監視通報装置から監視センタ装置に例えば停電に関する通報つまり第１の通報情報の通報を行う場合には、特番‘１８６’を宛先電話番号に付与して発呼する。
【００１５】
一方、監視センタ装置側では、着信時において、発信者番号が送信されてきているか否かを識別するとともに、送信されてきていた場合には、発信者番号の局番号を抽出して、抽出した発信者番号の局番号情報に基づいて、監視地域としてあらかじめ分割した地域のいずれに属するかを判別する。而して、第１の通報情報を通報するための着信である旨と、発信者番号の局番号情報に基づく監視地域の同一性と、に基づいて、同一監視地域における地域停電の発生など、特定の種類の異常状態の発生を通報するための着信か否かを識別し、同一監視地域からの同一内容の第１の通報情報を既に規定件数以上受信済みの場合は強制切断を行うことにより、地域停電の発生地域など、同一監視地域からの同一内容の通報情報のさらなる受信を防いで、地域停電のような第１の通報情報以外の緊急性がある他の通報を受信可能とする仕組みを確保するようにしている。
【００１６】
さらに言えば、通報元の監視通報装置側では、停電等の第１の通報情報を通報する場合には、発信元の通知の有無を示す発信者番号情報として、発信元の発信者番号通知有り（例：宛先電話番号の先頭に特番‘１８６’を付加）の状態にし、一方、停電等の特定の異常状態以外の緊急性のある第２の通報情報を通報する場合には、発信元の通知の有無を示す発信者番号情報として、発信元の発信者番号非通知（例：宛先電話番号の先頭に特番‘１８４’を付加）の状態にして、監視センタ装置側に発信する。
【００１７】
通報先である監視センタ装置は、着信時に、着信情報を受け取り、通報元の監視通報装置の発信者番号が送信されてきているか否かに基づいて、停電等の第１の通報情報の通報のための着信か、第２の通報情報の通報のための着信かを識別するとともに、発信者番号が送信されてきている場合は、さらに、発信者番号の局番号に基づいて監視地域の特定を行い、停電等に関する第１の通報情報が同一の監視地域からの通報として集中しているか否かを判別することにより、例えば地域停電等のように、通報が集中的に殺到して回線の輻輳を引き起こす可能性がある通報の場合か否かを判断する。
【００１８】
監視センタ装置が、第１の通報情報が、地域停電等のように、同一監視地域から集中する可能性が高いと判断した場合は、当該同一監視地域からの停電通報等の第１の通報情報に関する着信に応答した後、ただちに強制的に切断して、同一管理地域からの同一内容の第１の通報情報による通報の集中に基因して、回線が輻輳状態に陥ることを防止可能とし、その他の緊急性のある通報を優先的に選択受信する仕組みとしている。
【００１９】
（実施例の構成）
次に、本発明の監視システムの構成例について、図１を用いて説明する。図１は、本発明による監視システムのシステム構成の一例を示すシステム構成図である。なお、以下の説明においては、説明をより簡明にし、理解し易いようにするために、対象とする異常状態として、停電の発生と、犯罪や事故の発生とを監視している場合に限定することとし、前述した第１の通報情報としては、停電という異常状態が発生した旨を通報する場合であり、第２の通報情報としては、停電以外の犯罪や事故の発生を通報する場合を例にとって説明することとする。
【００２０】
図１に示すように、本実施例における監視システム５００は、各地域で発生する異常状態に関する通報情報を収集して管理するとともに、管理者からの指示に基づく処理を実施する監視センタ装置１００と、各地域に設置され、各地域において発生する異常状態を検知して、通報情報として監視センタ装置１００に通報する１ないし複数個（Ｍ個）の監視通報装置３００１、３００２、…、３００Ｍとが、通信網２００を介して接続されて構成されている。
【００２１】
通信網２００は、モデム装置を用いたアナログ信号により通信を行う通信網であっても良いし、ＩＳＤＮ信号により通信を行うＩＳＤＮ網であっても良いし、パケット信号により通信を行うパケット網（インターネットを含む）であっても良いし、無線信号により通信を行う無線通信網であっても良いが、以下の説明においては、アナログ信号により通信を行うアナログ網の場合を例にとって説明する。
【００２２】
また、監視通報装置３００１、３００２、…、３００Ｍは、いずれも、ほぼ同一の内部構成からなっており、図１に示す監視通報装置３００１に示すように、通信網２００を介して監視センタ装置１００に対して通報情報を送信するモデムを含む通信部１と、停電以外の異常状態を検知する各種のセンサ３ａと、停電を検知する停電センサ３ｂと、監視通報装置３００１全体の動作を制御する制御部２とを、少なくとも含んで構成されている。なお、センサ３ａの構成については、検知する異常状態の種類に応じて、それぞれの異常状態を検知可能なセンサが用意される。
【００２３】
また、監視センタ装置１００は、図２に示すような構成からなっている。図２は、本発明による監視センタ装置のブロック構成の一例を示すブロック構成図である。図２に示すように、監視センタ装置１００は、１ないしＮ個の同一内部構成からなる監視ブロック１  １００１、監視ブロック２  １００２、…、監視ブロックＮ  １００Ｎを有し、負荷分散が可能なＮ重化された構造からなっている。図２には、監視センタ装置１００の監視ブロック１  １００１の内部構成のみを記載しているが、その他の監視ブロック２  １００２、…、Ｎ  １００Ｎも全く同一の内部構成であり、監視通報装置からの通報情報の通報のための着信があった場合、いずれか空きの状態にある監視ブロックが起動されて通報情報の処理が行われる。
【００２４】
図２の監視ブロック１  １００１は、通信網の回線を監視する回線監視部１１と、通信網からの信号を受信したり、通信網に信号を送信したりするモデム部（信号受信部、信号送信部）１２と、発信者番号の局番号部を抽出して、監視地域としてあらかじめ定めた地域ごとに分割した地域を特定するための地域番号を取得して記憶する地域番号記憶部１３と、モデム信号として受信した発信者番号や通報情報等を記憶するモデム信号記憶部（信号記憶部）１４と、各種の指示を利用者が入力したり、逆に、各種の情報を利用者に表示したりする入力／表示部１５と、監視ブロック１  １００１全体の動作を制御する制御部１６と、を少なくとも含んで構成されている。
【００２５】
また、回線監視部１１は、通信網からの回線の極性を検出する極性検出回路１１ａ、回線が閉成して直流ループ電流が流れたことを検出する直流ループ検出回路１１ｂ、通信網からの呼出信号を検出する呼出信号検出回路１１ｃを含んで構成され、モデム部１２には、回線を捕捉したことを示す信号を送信する回線捕捉回路１２ａを含み、制御部１６には、時間を計数するタイマ１６ａを含んで構成されている。その他の監視ブロック２  １００２、…、Ｎ  １００Ｎも、前述したように、全く同一の内部構成である。
【００２６】
（実施例の動作の説明）
図１に示す監視システム５００に関して、監視通報装置３００１、３００２、…、３００Ｍ側において異常状態を検知して、監視センタ装置１００に通報する際の動作について、まず、監視通報装置３００１、３００２、…、３００Ｍ側の動作について、監視通報装置３００１を例にとって、その概要を説明する。
【００２７】
監視通報装置３００１のセンサ３ａによって停電以外の何らかの緊急を要する異常を検知したことが通知されると、制御部２は、監視センタ装置１００に対して、該異常の発生を通報するための通報情報を作成した後、停電以外の通報情報つまり第２の通報情報を通報することを示す特番‘１８４’（発信者番号非通知）を、通報先の監視センタ装置１００の電話番号（宛先）の先頭に付加して、通信網２００に発呼する。しかる後、通報先の監視センタ装置１００が応答して、監視センタ装置１００と接続されると、データ通信を行う通信フェーズに移行して、作成した第２の通報情報を、監視センタ装置１００に通報する。
【００２８】
また、監視通報装置３００１の停電センサ３ｂによって停電の発生を検知したことが通知されると、制御部２は、監視センタ装置１００に対して、停電発生を通報するための通報情報を作成した後、停電に関する通報情報つまり第１の通報情報を通報することを示す特番‘１８６’（発信者番号通知）を、通報先の監視センタ装置１００の電話番号（宛先）の先頭に付加して、通信網２００に発呼する。
【００２９】
しかる後、停電以外の通報情報つまり第２の通報情報の場合と同様に、通報先の監視センタ装置１００が応答して、監視センタ装置１００と接続されると、データ通信を行う通信フェーズに移行して、作成した第１の通報情報を、監視センタ装置１００に通報する。しかし、停電のような異常状態は、犯罪や事故等の停電以外の異常状態とは異なり、通常、特定地域に集中的に発生する可能性が高いため、同一の監視地域からあらかじめ定めた所定時間内にあらかじめ定めた規定件数以上に及んで、停電の発生を示す第１の通報情報を通報する着信が検出された場合は、監視センタ装置１００は、通報情報を受け取るための通信フェーズに移行することなく、ただちに、切断を指示する終話信号を送信することとしているので、監視通報装置３００１からは、停電に関する通報情報つまり第１の通報情報を監視センタ装置１００に通報することなく、通信を終了する。
【００３０】
次に、異常を検知した監視通報装置３００１からの着信を受け付ける監視センタ装置１００側の動作について、その概要を説明する。監視通報装置３００１から監視センタ装置１００への発呼を受け付けた通信網２００の局交換機が、極性を反転させた着信信号を監視センタ装置１００のいずれかの回線に送信することにより、監視センタ装置１００の監視ブロック１  １００１、監視ブロック２  １００２、…、監視ブロックＮ  １００Ｎのいずれか例えば監視ブロック１  １００１を起動する。
【００３１】
起動された監視ブロック１  １００１の制御部１６の制御により、一次応答すると、監視通報装置から特番‘１８６’（発信者番号通知）を受け取っていた場合には、通信網２００の局交換機から、着信情報として発信者番号（すなわち通報元の監視通報装置３００１の電話番号）が送信されてくる。一方、監視通報装置から特番‘１８４’（発信者番号非通知）を受け取っていた場合には、通信網２００の局交換機から、着信情報として発信者番号を通知しない旨を示す情報が送信されてくる。
【００３２】
したがって、監視センタ装置１００の監視ブロック１  １００１の制御部１６では、一次応答した後、発信者番号を受信したか否かによって、停電に関する通報情報つまり第１の通報情報を通報しようとする着信動作か、あるいは、停電以外の通報情報つまり第２の通報情報を通報しようとする着信動作かを識別するとともに、発信者番号の有無に関する着信情報を受信した旨を示す受信完了信号を、通信網２００の局交換機へ通知する。しかる後、受信完了信号を受信した通信網２００の局交換機からは、呼出信号が送信されてくる。
【００３３】
監視ブロック１  １００１の制御部１６は、受信した応答信号に対して二次応答した後、先に、発信者番号が通知されてこなかった場合は、停電以外の緊急性がある通報情報つまり第２の通報情報を通報しようとする着信動作であるので、そのまま、通報元の監視通報装置３００１との間を接続し、停電以外の通報情報つまり第２の通報情報の受信動作を行い、一方、先に、発信者番号を受信していた場合は、停電に関する通報情報つまり第１の通報情報を通報しようとする着信動作であるとして、まず、受信した発信者番号の局番号から監視地域を特定するための地域番号を取得して、所定の時間以内に、同一の監視地域からあらかじめ定めた規定件数以上の第１の通報情報を既に受け取っているか否かを判別し、既に受信していた場合には、停電に関する通報情報つまり第１の通報情報を受け取る通信フェーズに移行することなく、ただちに、終話動作に移行する。
【００３４】
以上、説明した監視システムの通報動作について、次に、図３、図４に示す信号シーケンスチャートを用いてさらに説明する。ここに、図３は、本発明による監視通報装置が停電以外の通報情報つまり第２の通報情報を送信する場合の信号シーケンスの一例を示す信号シーケンスチャートであり、図４は、本発明による監視通報装置が停電に関する通報情報つまり第１の通報情報を送信する場合の信号シーケンスの一例を示す信号シーケンスチャートである。いずれも、監視通報装置と通信網の局交換機と監視センタ装置との間でアナログ信号形式の信号を送受信する際の信号シーケンスを一例として示している。
【００３５】
まず、図３を用いて、監視通報装置が停電以外の通報情報つまり第２の通報情報を送信する場合の信号シーケンスの一例について説明する。監視通報装置例えば監視通報装置３００１のセンサ３ａによって停電以外の何らかの緊急性がある異常を検知すると、その制御部２は、通信部１を駆動して、通信網２００に対して、監視センタ装置１００に対する呼設定要求として、回線の極性を反転させた後、モデム信号により発呼情報を送信する（シーケンスＳＱ１）。このとき、制御部２は、宛先の監視センタ装置１００の電話番号の先頭に、停電以外の通報情報つまり第２の通報情報を通報することを示すために、特番‘１８４’（発信者番号非通知）を付与して、通信部１を介して、通信網２００の局交換機に呼設定を要求する。
【００３６】
監視通報装置３００１からの呼設定要求を受け取った通信網２００の局交換機は、宛先に示されている監視センタ装置１００への回線の極性を反転させることによって、着信を示す起動信号を監視センタ装置１００へ送信する（シーケンスＳＱ２）。回線の極性反転による起動信号を検出した監視センタ装置１００の回線監視部１１は、制御部１６に着信がある旨を通知する。しかる後、制御部１６の制御により、モデム部１２の回線捕捉回路１２ａが起動されて、回線に直流ループを形成して、一次応答を示すオフフック信号を通信網２００の局交換機に送信する（シーケンスＳＱ３）。
【００３７】
監視センタ装置１００から一次応答を受け取った通信網２００の局交換機は、停電以外の通報つまり第２の通報情報を通報するための着信動作であるため、通報元の監視通報装置３００１の発信者番号を通知しない旨を示す情報を、モデム信号（アナログ信号）として、監視センタ装置１００に対して送信する（シーケンスＳＱ４）。発信者番号を通知しない旨を示す情報を受け取った監視センタ装置１００のモデム部１２は、発信者番号非通知の旨をモデム信号記憶部１４に記憶するとともに、制御部１６に、情報を受信した旨を通知し、制御部１６においては、発信者番号非通知の着信であることに基づいて、停電以外の緊急を要する第２の通報情報を通報するための着信動作であることが判別される。
【００３８】
第２の通報情報を通報するための着信動作であることを判別した制御部１６の制御により、モデム部１２の回線捕捉回路１２ａが起動されて、発信者番号非通知を受信した旨を示す受信完了信号として、直流ループを断にしたオンフック信号を通信網２００の局交換機へ返送する（シーケンスＳＱ５）。
【００３９】
監視センタ装置１００から受信完了信号を受け取った通信網２００の局交換機は、呼出信号を監視センタ装置１００に送信する（シーケンスＳＱ６）。通信網２００の局交換機から監視センタ装置１００の回線監視部１１の呼出信号検出回路１１ｃにより呼出信号を受け取ると、その旨を制御部１６に通知することにより、制御部１６の制御のもと、モデム部１２の回線捕捉回路１２ａが起動されて、回線に直流ループを形成して、二次応答を示すオフフック信号を通信網２００の局交換機に送信する（シーケンスＳＱ７）。
【００４０】
監視センタ装置１００から二次応答を受け取った通信網２００の局交換機は、通報元の監視通報装置３００１の回線の極性を反転させて、監視センタ装置１００が応答した旨を通知するとともに（シーケンスＳＱ８）、監視センタ装置１００の回線の極性も反転（復極）させ（シーケンスＳＱ９）、さらに、監視通報装置３００１と監視センタ装置１００との通話回線を接続する。これによって、通信フェーズに移行して、監視通報装置３００１と監視センタ装置１００とのＥｎｄ−ｔｏ−Ｅｎｄ通信が可能な状態になる。
【００４１】
監視センタ装置１００との接続が完了したことを検知した監視通報装置３００１の制御部２は、監視センタ装置１００に通報しようとしている停電以外の通報情報つまり第２の通報情報を、通信部１、通信網２００を介して、監視センタ装置１００にモデム信号（アナログ信号）として送信する（シーケンスＳＱ１０）。
【００４２】
監視通報装置３００１から送信されてきた停電以外の通報情報つまり第２の通報情報を受信した監視センタ装置１００のモデム部１２は、受信した停電以外の通報情報つまり第２の通報情報をモデム信号記憶部１４に記憶するとともに、制御部１６に第２の通報情報を受信した旨通知する。停電以外の通報情報つまり第２の通報情報の受信を通知された制御部１６は、モデム信号記憶部１４に記憶蓄積された停電以外の通報情報つまり第２の通報情報を、入力／表示部１５から出力して、停電以外の緊急性がある異常状態の発生を管理者に通報する。
【００４３】
監視通報装置３００１の制御部２は、監視センタ装置１００への第２の通報情報の送信動作が終了すると、直流ループを断にして、終話を示すオンフック信号を通信網２００の局交換機に通知する（シーケンスＳＱ１１）。同様に、監視センタ装置１００も、監視通報装置３００１からの第２の通報情報の受信が終了すると、終話を示すオンフック信号を通信網２００の局交換機に通知する（シーケンスＳＱ１２）。この結果、通信網２００の局交換機は、監視通報装置３００１と監視センタ装置１００との間を接続していた通話回線を切断する。
【００４４】
以上のように、停電以外の通報情報つまり第２の通報情報を通報する場合は、特番‘１８４’（発信者番号非通知）を先頭に付与して、監視センタ装置１００向けとして通信網２００に発信してくるので、監視センタ装置１００は、発信者番号が通知されない状態の着信であることを判別して、該着信呼については、通報元の監視通報装置３００１との間を、通常のＥｎｄ−ｔｏ−Ｅｎｄ接続された通信フェーズにまで移行して、通信フェーズにおいて停電以外の緊急性がある第２の通報情報を受信するように動作する。
【００４５】
次に、図４を用いて、監視通報装置が停電に関する通報情報つまり第１の通報情報を送信する場合の信号シーケンスの一例について説明する。停電に関する通報情報つまり第１の通報情報の場合、地域停電などの発生により、同一監視地域に属する多数の監視通報装置からほぼ同時に同一内容の通報情報が監視センタ装置に大量に殺到してくる虞があるので、監視センタ装置１００との接続時間をできるだけ短くして、監視センタ装置１００側の回線が輻輳状態に陥らないようにしている。
【００４６】
図４において、監視通報装置例えば監視通報装置３００１の停電センサ３ｂによって停電の発生を検知すると、その制御部２は、図３の場合と同様に、通信部１を駆動して、通信網２００に対して、監視センタ装置１００に対する呼設定要求として、回線の極性を反転させた後、モデム信号により発呼情報を送信する（シーケンスＳＱ２１）。ただし、制御部２は、宛先の監視センタ装置１００の電話番号の先頭に、図３の場合とは異なり、第２の通報情報ではなく、停電に関する通報情報つまり第１の通報情報を通報することを示すために、特番‘１８６’（発信者番号通知）を付与して、通信部１を介して、通信網２００の局交換機に呼設定を要求する。
【００４７】
監視通報装置３００１からの呼設定要求を受け取った通信網２００の局交換機は、図３の場合と同様に、宛先に示されている監視センタ装置１００への回線の極性を反転させることによって、着信を示す起動信号を監視センタ装置１００へ送信する（シーケンスＳＱ２２）。回線の極性反転による起動信号を検出した監視センタ装置１００の回線監視部１１は、制御部１６に着信がある旨を通知する。しかる後、制御部１６の制御により、図３の場合と同様に、モデム部１２の回線捕捉回路１２ａが起動されて、回線に直流ループを形成して、一次応答を示すオフフック信号を通信網２００の局交換機に送信する（シーケンスＳＱ２３）。
【００４８】
監視センタ装置１００から一次応答を受け取った通信網２００の局交換機は、図３の場合とは異なり、停電に関する通報つまり第１の通報情報を通報するための着信動作であるため、通報元の監視通報装置３００１の発信者番号を、モデム信号（アナログ信号）として、監視センタ装置１００に対して送信する（シーケンスＳＱ２４）。通報元の監視通報装置３００１の発信者番号を受け取った監視センタ装置１００のモデム部１２は、モデム信号記憶部１４に記憶するとともに、制御部１６に発信者番号の受信の旨を通知し、制御部１６においては、停電に関する通報つまり第１の通報情報を通報するための着信動作であることが判別される。
【００４９】
第１の通報情報を通報するための着信動作であることを判別した制御部１６は、さらに、通報元の監視通報装置３００１が存在する監視地域を特定するために、モデム信号記憶部１４に記憶された発信者番号の局番号を抽出して、管理対象ごとに分割された監視地域のいずれに属しているかを識別して、識別した監視地域を特定する地域番号を選択して地域番号記憶部１３に記憶する。
【００５０】
さらに、制御部１６は、地域番号記憶部１３を検索することにより、あらかじめ定めた所定の時間内に、同一監視地域に属する監視通報装置から停電に関する通報をあらかじめ定めた規定件数以上既に受信しているか否かを確認して、前記所定の時間内に、同一監視地域に属する監視通報装置から停電に関する通報情報つまり第１の通報情報を前記規定件数以上の件数に及んで受信していた場合は、地域停電が発生しているものと推定して、通信フェーズに移行することなく、切断フェーズを起動する信号シーケンスを選択する。
【００５１】
一方、あらかじめ定めた規定件数に満たない場合は、図３の場合と同様に、通信フェーズに移行して、今回の通報元の監視通報装置３００１から停電に関する通報情報つまり第１の通報情報を受信する信号シーケンスを選択する。同一監視地域における停電に関する通報情報つまり第１の通報情報として、まだ、前記規定件数になるまで受信していないものとして、通信フェーズに移行して、今回の通報元の監視通報装置３００１から停電に関する通報情報つまり第１の通報情報を受信する場合の信号シーケンスは、図３において前述した説明と全く同様であり、説明が重複するので、ここでのさらなる説明は割愛し（なお、図４においても、かかる場合の信号シーケンスの記載は省略している）、以下の説明は、同一監視地域に属する監視通報装置から停電に関する通報情報つまり第１の通報情報をあらかじめ定めた規定件数以上受信していた場合について説明することとする。
【００５２】
同一監視地域に属する監視通報装置から停電に関する通報をあらかじめ定めた規定件数以上受信していた場合についても、着信フェーズにおける通信プロトコルに矛盾が生じないように、応答までの着信フェーズについては、図３と同様の着信用の信号シーケンスの手順をたどることが必要である。すなわち、発信者番号を受け取った監視センタ装置１００では、制御部１６の制御により、図３の場合と同様に、モデム部１２の回線捕捉回路１２ａが起動されて、発信者番号を受信した旨を示す受信完了信号として、直流ループを断にしたオンフック信号を通信網２００の局交換機へ返送する（シーケンスＳＱ２５）。
【００５３】
監視センタ装置１００から受信完了信号を受け取った通信網２００の局交換機は、図３の場合と同様に、呼出信号を監視センタ装置１００に送信する（シーケンスＳＱ２６）。通信網２００の局交換機から監視センタ装置１００の回線監視部１１の呼出信号検出回路１１ｃにより呼出信号を受け取ると、その旨を制御部１６に通知することにより、図３の場合と同様、制御部１６の制御の基、モデム部１２の回線捕捉回路１２ａが起動されて、回線に直流ループを形成して、二次応答を示すオフフック信号を通信網２００の局交換機に送信する（シーケンスＳＱ２７）。
【００５４】
監視センタ装置１００から二次応答を受け取った通信網２００の局交換機は、図３の場合と同様、通報元の監視通報装置３００１の回線の極性を反転させて、監視センタ装置１００が応答した旨を通知するとともに（シーケンスＳＱ２８）、監視センタ装置１００の回線の極性も反転（復極）させるが（シーケンスＳＱ２９）、回線の極性の反転（復極）を検知した監視センタ装置１００の回線監視部１１の極性検出回路１１ａからの通知を受け取ると、同一監視地域から規定件数以上の停電通報を受信済みであることを認識している制御部１６の制御の基、通信フェーズを経ることなく、切断フェーズにただちに移行するために、終話を示すオンフック信号を通信網２００の局交換機に通知する（シーケンスＳＱ３０）。
【００５５】
監視センタ装置１００から終話を示すオンフック信号を受け取った通信網２００の局交換機は、終話を示すオンフック信号を通報元の監視通報装置３００１に対して送信するとともに（シーケンスＳ３１）、監視通報装置３００１と監視センタ装置１００との間を接続しようとしていた通話回線を切断する。
【００５６】
以上のように、停電に関する通報情報つまり第１の通報情報を通報する場合は、特番‘１８６’（発信者番号通知）を先頭に付与して、監視センタ装置１００向けとして通信網２００に発信してくるので、監視センタ装置１００は、着信動作で発信者番号の通知を受け取ったことを判別して、同一監視地域からあらかじめ定めた時間内に規定件数以上の停電に関する通報を受け取っている場合は、地域停電の発生と推定して、今回の通報元の監視通報装置３００１との間をＥｎｄ−ｔｏ−Ｅｎｄ接続する通信フェーズにまで移行させることなく、ただちに切断フェーズに移行させることにより、地域停電に関する通報に要する回線保留時間を大幅に短縮させ、監視センタ装置１００に大量の停電通報が殺到することにより、回線の輻輳が発生することを抑止し、地域停電以外の緊急性がある第２の通報情報を受信可能なように動作する。
【００５７】
次に、図５のフローチャートを用いて、前述した図３、図４の信号シーケンスの動作のうち、監視センタ装置１００側の動作についてさらに説明する。図５は、本発明による監視通報装置における通報情報の処理手順の一例を説明するためのフローチャートであり、図２の回路構成例からなる監視センタ装置１００の動作を例にとって以下に説明する。
【００５８】
待機状態にある監視センタ装置１００において、通信網２００側から、回線の極性反転信号による端末起動信号すなわち着信信号が送られてくると、回線監視部１１の極性検出回路１１ａにて検出される。制御部１６が着信信号を受け付けると、回線捕捉回路１２ａを駆動することにより、オフフックして一次応答信号が通信網２００に返送され、回線に直流ループが形成されることになる。この直流ループ電流が回線監視部１０の直流ループ検出回路１１ｂにて検出される（ステップＳ１）。
【００５９】
しかる後、通信網２００側からの発信者番号情報がモデム信号（アナログ信号）として送信されてくるので、モデム部１２にて受信して、モデム信号記憶部１４に記憶され、発信者番号情報を受信したことを示すために回線を一旦オンフック状態に戻す。
【００６０】
モデム部１２にて発信者番号情報として発信者番号非通知を示す情報が受信されていた場合は（ステップＳ２の非通知の場合）、停電以外の通報情報つまり第２の通報情報の送信要求であるものと判定して、再度、オフフックして二次応答信号を通信網２００に返送することにより（ステップＳ３）、通常の通信フェーズに移行して、Ｅｎｄ−ｔｏ−Ｅｎｄの回線接続を行って、通常の通報シーケンスを用いて、モデム信号（アナログ信号）として、第２の通報情報をモデム部１２にて受信して、モデム信号記憶部１４に記憶した後（ステップＳ４）、回線をオンフック状態に戻して、終話するために回線の開放を行い（ステップＳ５）、待機状態に復帰する。
【００６１】
一方、モデム部１２にて発信者番号情報として発信元を示す発信者番号が受信されていた場合は（ステップＳ２の通知の場合）、停電に関する通報情報つまり第１の通報情報の送信要求であるものと判定して、発信者番号の局番号を、監視通報装置３００１が属する監視地域を特定するための地域番号に変換して、地域番号記憶部１３に記憶すると同時に（ステップＳ６）、最初の通報情報の受信時に設定されたタイマ１６ａ（あらかじめ定めた所定時間を計時するタイマ）の時間以内に、同一監視地域からの停電に関する通報があったか否かを判定する（ステップＳ７）。
【００６２】
同一監視地域からの停電に関する通報がまだなかった場合は（ステップＳ７の無の場合）、当該監視地域からの停電に関する初めての通報情報（初めての第１の通報情報）を送信要求しているものと判定して、再度、オフフックして二次応答信号を通信網２００に返送する（ステップＳ３）。これにより、通常の通信フェーズに移行して、Ｅｎｄ−ｔｏ−Ｅｎｄの回線接続を行う。しかる後、通常の通報シーケンスを用いて、モデム信号（アナログ信号）として、第１の通報情報（初めての停電に関する通報情報）をモデム部１２にて受信して、モデム信号記憶部１４に記憶した後（ステップＳ４）、回線をオンフック状態に戻して、終話するために回線の開放を行い（ステップＳ５）、待機状態に復帰する。
【００６３】
また、同一監視地域からの停電に関する通報があった場合は（ステップＳ７の有の場合）、タイマ１６ａが計時するあらかじめ定めた所定時間内に、同一監視地域からの停電に関する通報が、あらかじめ設定された規定件数Ｎ件未満の件数であった場合は（ステップＳ８のＮ件未満）、停電に関する初めての通報情報の場合と同様に、再度、オフフックして二次応答信号を通信網２００に返送することにより（ステップＳ３）、通常の通信フェーズに移行して、Ｅｎｄ−ｔｏ−Ｅｎｄの回線接続を行う。しかる後、通常の通報シーケンスを用いて、モデム信号（アナログ信号）として、２件目以後の第１の通報情報をモデム部１２にて受信して、モデム信号記憶部１４に記憶した後（ステップＳ４）、回線をオンフック状態に戻して、終話するために回線の開放を行い（ステップＳ５）、待機状態に復帰する。
【００６４】
一方、タイマ１６ａが計時するあらかじめ定めた所定時間内に、同一監視地域からの停電に関する通報が、あらかじめ設定された規定件数Ｎ件以上の件数に及んでいた場合は（ステップＳ８のＮ件以上）、同一監視地域からの多数の停電通報が殺到する可能性がある地域停電の通報であるものと推定して、再度オフフックして二次応答信号を通信網２００に返送するものの（ステップＳ９）、通信フェーズへ移行することなく、ただちに、強制切断するために、回線を開放して（ステップＳ１０）、待機状態に復帰する。
【００６５】
この結果、監視通報装置３００１側では、正常に通信フェーズに移行することができず、停電に関する通報情報つまり第１の通報情報の通報を行うことができなくなる。したがって、監視通報装置３００１側では、一般的に、再送時間としてあらかじめ定めた一定の経過時間が経過した後に、再度、通報を行う再送（再通報）動作を行うことになり、結果的に、時間がずらされる形で、停電に関する通報情報を通報する動作を行うことになる。
【００６６】
（本実施例の効果の説明）
以上に説明したように、本実施例においては、地域停電等が発生した場合のように、同一の監視地域に存在する複数の監視通報装置３００ｉが、通報先の監視センタ装置１００に対して同じ内容の地域停電に関する通報情報つまり第１の通報情報を一斉に通報しようとする場合であっても、通報先の監視センタ装置１００側では、着信時に、発信者番号の通知の有無を判別することによって、第１の通報情報か否かを識別し、かつ、第１の通報情報を通報しようとする着信であった場合には、受信した発信者番号の局番号に基づいて、同一の監視地域からの第１の通報情報があらかじめ定めた規定件数以上に亘って既に受信済みか否かを判別することによって、今回の着信にて通報される第１の通報情報を受信する通信フェーズに移行するか否かを判定して、前記規定件数以上に亘って既に受信済みの場合には、第１の通報情報を受信する通信フェーズに移行することなく、ただちに、強制切断するという動作を行って、監視センタ装置１００の回線の輻輳状態を軽減し、地域停電以外の緊急性のある通報情報つまり第２の通報情報を優先的に選択して受信することが可能になるという効果を奏することができる。
【００６７】
（本発明の他の実施例）
前述した実施例においては、監視通報装置３００ｉ（ｉ＝１〜Ｍ）、監視センタ装置１００のいずれも、アナログ信号を用いた通信網に接続する場合を例にとって説明したが、本発明はかかる場合のみに限るものではない。例えば、前述したように、ＩＳＤＮ信号により通信を行うＩＳＤＮ網であっても良いし、パケット信号により通信を行うパケット網（インターネットを含む）であっても良いし、無線信号により通信を行う無線通信網であっても良いし、さらには、監視通報装置３００ｉ（ｉ＝１〜Ｍ）、監視センタ装置１００との双方が同一の種類の通信網ではなく、異なる種類の通信網に接続されていても良い。
【００６８】
例えば、監視通報装置３００ｉ（ｉ＝１〜Ｍ）、監視センタ装置１００のいずれもＩＳＤＮ信号を用いる通信網（ＩＳＤＮ網）に接続されている監視システムの場合について、監視通報装置３００ｉ（ｉ＝１〜Ｍ）から通報動作を行う場合の信号シーケンスを例示すると、図６、図７に示すようになる。ここに、図６は、ＩＳＤＮ通信網において本発明による監視通報装置が停電以外の通報情報つまり第２の通報情報を送信する場合の信号シーケンスの一例を示す信号シーケンスチャートであり、アナログ通信網における図３の信号シーケンスに対応し、一方、図７は、ＩＳＤＮ通信網において本発明による監視通報装置が停電に関する通報情報つまり第１の通報情報を送信する場合の信号シーケンスの一例を示す信号シーケンスチャートであり、アナログ通信網における図４の信号シーケンスに対応している。
【００６９】
まず、図６を用いて、ＩＳＤＮ通信網において監視通報装置３００ｉ（ｉ＝１〜Ｍ）が停電以外の通報情報つまり第２の通報情報を送信する場合の信号シーケンスの一例について説明する。監視通報装置例えば監視通報装置３００１のセンサ３ａによって停電以外の何らかの緊急性がある異常を検知すると、その制御部２は、通信部１を駆動して、通信網２００に対して、監視センタ装置１００に対する呼設定要求として、ＩＳＤＮ信号方式に準拠したＳＥＴＵＰ信号を送信する（シーケンスＳＱ４１）。このとき、制御部２は、送信先の監視センタ装置１００の電話番号の先頭に、停電以外の通報情報つまり第２の通報情報を通報することを示すために、特番‘１８４’（発信者番号非通知）を付与して、通信部１を介して、通信網２００の局交換機に呼設定を要求する。
【００７０】
監視通報装置３００１からの呼設定要求すなわちＳＥＴＵＰ信号を受け取った通信網２００の局交換機は、発信元の監視通報装置３００１に対して、呼設定要求すなわちＳＥＴＵＰ信号を受け付けた旨を示すＣＡＬＬ  ＰＲＯＣ信号を返送するとともに（シーケンスＳＱ４２）、通報元の監視通報装置３００１からの着信を示すＳＥＴＵＰ信号を編集して、宛先に示されている監視センタ装置１００に対して送信する（シーケンスＳＱ４３）。このとき、通信網２００の局交換機は、通報元の監視通報装置３００１を示す発信者番号を通知しない旨を示す情報を付与した形式に、ＳＥＴＵＰ信号を編集して、監視センタ装置１００に対して送信する。
【００７１】
通信網２００の局交換機から、発信者番号を通知しない旨を示す情報を付与した形式のＳＥＴＵＰ信号を、図２のモデム部１２に相当する信号受信部によって受け取った監視センタ装置１００は、発信者番号の通知がない旨の情報を有するＳＥＴＵＰ信号を、図２のモデム信号記憶部１４に相当する信号記憶部に記憶するとともに、制御部１６にＳＥＴＵＰ信号の受信の旨を通知する。制御部１６においては、発信者番号を通知しない旨を示す情報を有するＳＥＴＵＰ信号を受信したことに基づいて、停電以外の緊急を要する第２の通報情報を通報するための着信動作であることが判別される。
【００７２】
第２の通報情報を通報するための着信動作であることを判別した制御部１６の制御により、モデム部１２に相当する信号送信部が起動されて、着信を受け付けて、発信元の監視通報装置３００１を呼び出す（呼び返す）旨を示すＡＬＥＲＴ信号（呼出信号）を、通信網２００の局交換機に返送する（シーケンスＳＱ４４）。監視センタ装置１００からＡＬＥＲＴ信号（呼出信号）を受信した通信網２００の局交換機は、発信元の監視通報装置３００１に対して、監視センタ装置１００が着信を受け付けたことを通知するＡＬＥＲＴ信号（呼出信号）を返送する（シーケンスＳＱ４５）。
【００７３】
しかる後、監視センタ装置１００の制御部１６は、発信元の監視通報装置３００１との間のＥｎｄ−ｔｏ−Ｅｎｄの接続を要求するＣＯＮＮ信号（応答信号）を、通信網２００の局交換機に送信する（シーケンスＳＱ４６）。
【００７４】
監視センタ装置１００からＣＯＮＮ信号（応答信号）を受け取った通信網２００の局交換機は、監視センタ装置１００に対して、ＣＯＮＮ信号（応答信号）を受信したことを示すＣＯＮＮ  ＡＣＫ信号（応答確認信号）を返送した後（シーケンスＳＱ４７）、監視通報装置３００１と監視センタ装置１００との通話回線を接続するとともに、通報元の監視通報装置３００１に対して、監視センタ装置１００との接続を指示するＣＯＮＮ信号（応答信号）を送信する（シーケンスＳＱ４８）。これによって、監視通報装置３００１と監視センタ装置１００とのＥｎｄ−ｔｏ−Ｅｎｄ通信が可能な状態になる。
【００７５】
監視センタ装置１００との接続が完了したことを検知した監視通報装置３００１の制御部２は、監視センタ装置１００に通報しようとしている停電以外の通報情報つまり第２の通報情報を、通信部１、通信網２００を介して、監視センタ装置１００にＩＳＤＮ信号（デジタル信号）に準拠した形式で送信する（シーケンスＳＱ４９）。
【００７６】
監視通報装置３００１から送信されてきた停電以外の通報情報つまり第２の通報情報を受信した監視センタ装置１００のモデム部１２に相当する信号受信部は、受信した停電以外の通報情報つまり第２の通報情報をモデム信号記憶部１４に相当する信号記憶部に記憶するとともに、制御部１６に第２の通報情報を受信した旨通知する。停電以外の通報情報つまり第２の通報情報の受信を通知された制御部１６は、モデム信号記憶部１４に相当する信号記憶部に記憶蓄積された停電以外の通報情報つまり第２の通報情報を、入力／表示部１５から出力して、停電以外の緊急性がある異常状態の発生を管理者に通報する。
【００７７】
監視通報装置３００１の制御部２は、監視センタ装置１００へ第２の通報情報の送信動作が終了すると、終話を示すＤＩＳＣ信号（切断信号）を通信網２００の局交換機に通知する（シーケンスＳＱ５０）。同様に、監視センタ装置１００も、監視通報装置３００１からの第２の通報情報の受信が終了すると、終話を示すＤＩＳＣ信号（切断信号）を通信網２００の局交換機に通知する（シーケンスＳＱ５１）。この結果、通信網２００の局交換機は、監視通報装置３００１と監視センタ装置１００との間を接続していた通話回線を切断する。
【００７８】
以上のように、ＩＳＤＮ網を使用した場合においても、停電以外の通報情報つまり第２の通報情報を通報する場合は、特番‘１８４’（発信者番号非通知）を先頭に付与して、監視センタ装置１００向けとして通信網２００に発信してくるので、監視センタ装置１００は、図３の場合と同様に、発信者番号が通知されない状態の着信であることを判別して、該着信呼については、通報元の監視通報装置３００１との間を、通常のＥｎｄ−ｔｏ−Ｅｎｄ接続された通信フェーズにまで移行して、通信フェーズにおいて停電以外の緊急性がある第２の通報情報を受信するように動作する。
【００７９】
次に、図７を用いて、ＩＳＤＮ通信網において監視通報装置３００ｉ（ｉ＝１〜Ｍ）が停電に関する通報情報つまり第１の通報情報を送信する場合の信号シーケンスの一例について、地域停電などの発生により、多数の監視通報装置からほぼ同時に大量の通報情報が監視センタ装置に殺到している場合の信号シーケンスを説明する。
【００８０】
図７において、監視通報装置例えば監視通報装置３００１の停電センサ３ｂによって停電の発生を検知すると、その制御部２は、図６の場合と同様に、通信部１を駆動して、通信網２００に対して、監視センタ装置１００に対する呼設定要求として、ＩＳＤＮ信号方式に準拠したＳＥＴＵＰ信号を送信する（シーケンスＳＱ６１）。ただし、制御部２は、送信先の監視センタ装置１００の電話番号の先頭に、図６の場合とは異なり、第２の通報情報ではなく、停電に関する通報情報つまり第１の通報情報を通報することを示すために、特番‘１８６’（発信者番号通知）を付与して、通信部１を介して、通信網２００の局交換機に呼設定を要求する。
【００８１】
監視通報装置３００１からの呼設定要求すなわちＳＥＴＵＰ信号を受け取った通信網２００の局交換機は、図６の場合と同様に、発信元の監視通報装置３００１に対して、呼設定要求すなわちＳＥＴＵＰ信号を受け付けた旨を示すＣＡＬＬ  ＰＲＯＣ信号を返送するとともに（シーケンスＳＱ６２）、通報元の監視通報装置３００１からの着信を示すＳＥＴＵＰ信号を編集して、宛先に示されている監視センタ装置１００に対して送信する（シーケンスＳＱ６３）。このとき、通信網２００の局交換機は、図６の場合とは異なり、通報元の監視通報装置３００１を示す発信者番号を通知する形式に、ＳＥＴＵＰ信号（発信者番号を含む）を編集して、監視センタ装置１００に対して送信する。
【００８２】
通信網２００の局交換機から、発信者番号を通知する形式に編集された発信者番号を含むＳＥＴＵＰ信号を、図２のモデム部１２に相当する信号受信部によって受け取った監視センタ装置１００は、発信者番号を含むＳＥＴＵＰ信号を、図２のモデム信号記憶部１４に相当する信号記憶部に記憶するとともに、制御部１６にＳＥＴＵＰ信号の受信の旨を通知する。制御部１６においては、発信者番号を含むＳＥＴＵＰ信号を受信したことに基づいて、停電に関する通報情報つまり第１の通報情報を通報するための着信動作であることが判別される。
【００８３】
第１の通報情報を通報するための着信動作であることを判別した制御部１６の制御により、図６の場合と同様に、モデム部１２に相当する信号送信部が起動されて、着信を受け付けて、発信元の監視通報装置３００１を呼び出す（呼び返す）旨を示すＡＬＥＲＴ信号（呼出信号）を、通信網２００の局交換機に返送する（シーケンスＳＱ６４）。監視センタ装置１００からＡＬＥＲＴ信号（呼出信号）を受信した通信網２００の局交換機は、図６の場合と同様に、発信元の監視通報装置３００１に対して、監視センタ装置１００が着信を受け付けたことを通知するＡＬＥＲＴ信号（呼出信号）を返送する（シーケンスＳＱ６５）。
【００８４】
しかる後、第１の通報情報を通報するための着信動作であることを判別した制御部１６は、さらに、通報元の監視通報装置３００１が存在する監視地域を特定するために、モデム信号記憶部１４に相当する信号記憶部に記憶された発信者番号の局番号を抽出して、管理対象ごとに分割された監視地域のいずれに属しているかを識別して、識別した監視地域を特定する地域番号を選択して地域番号記憶部１３に記憶する。
【００８５】
さらに、制御部１６は、地域番号記憶部１３を検索することにより、あらかじめ定めた所定の時間内に、同一監視地域に属する監視通報装置から停電に関する通報があらかじめ定めた規定件数以上既に受信しているか否かを確認して、前記所定の時間内に、同一監視地域に属する監視通報装置から停電に関する通報情報つまり第１の通報情報を前記規定件数以上の件数に及んで受信していた場合は、地域停電が発生しているものと推定して、通信フェーズに移行することなく、切断フェーズを起動する信号シーケンスを選択する。
【００８６】
一方、あらかじめ定めた規定件数に満たない場合は、図６の場合と同様に、通信フェーズに移行して、今回の通報元の監視通報装置３００１から停電に関する通報情報つまり第１の通報情報を受信する信号シーケンスを選択する。通信フェーズに移行して、今回の通報元の監視通報装置３００１から停電に関する通報情報つまり第１の通報情報を受信する信号シーケンスについては、図６において前述した説明と全く同様であり、説明が重複するので、ここでのさらなる説明は割愛し（なお、図７においても、かかる場合の信号シーケンスの記載は省略している）、以下の説明は、前述したように、同一監視地域に属する監視通報装置から停電に関する通報情報つまり第１の通報情報をあらかじめ定めた規定件数以上受信していた場合すなわち地域停電の発生を通報する場合について説明することとする。
【００８７】
同一監視地域に属する監視通報装置から停電に関する通報をあらかじめ定めた規定件数以上受信していた場合についても、着信フェーズにおける通信プロトコルに矛盾が生じないように、応答までの着信フェーズについては、図６と同様の着信用の信号シーケンスの手順をたどることが必要である。すなわち、発信者番号を含むＳＥＴＵＰ信号を受け取った監視センタ装置１００では、制御部１６の制御により、図６の場合と同様に、発信元の監視通報装置３００１との間のＥｎｄ−ｔｏ−Ｅｎｄの接続を要求するＣＯＮＮ信号（応答信号）を、通信網２００の局交換機に送信する（シーケンスＳＱ６６）。
【００８８】
監視センタ装置１００からＣＯＮＮ信号（応答信号）を受け取った通信網２００の局交換機は、図６の場合と同様に、監視センタ装置１００に対して、ＣＯＮＮ信号（応答信号）を受信したことを示すＣＯＮＮ  ＡＣＫ信号（応答確認信号）を返送して（シーケンスＳＱ６７）、監視通報装置３００１と監視センタ装置１００との通話回線を接続するとともに、通報元の監視通報装置３００１に対して、監視センタ装置１００との接続を指示するＣＯＮＮ信号（応答信号）を送信する（シーケンスＳＱ６８）。
【００８９】
これによって、監視通報装置３００１と監視センタ装置１００とのＥｎｄ−ｔｏ−Ｅｎｄ通信が可能な状態になるが、ＣＯＮＮ  ＡＣＫ信号（応答確認信号）を受信した監視センタ装置１００の回線監視部１１からの通知を受け取ると、同一監視地域から規定件数以上の停電情報を受信済みであることを認識している制御部１６の制御の基、通信フェーズを経ることなく、切断フェーズにただちに移行するために、終話を示すＤＩＳＣ信号（切断信号）を通信網２００の局交換機に通知する（シーケンスＳＱ６９）。
【００９０】
監視センタ装置１００から終話を示すＤＩＳＣ信号（切断信号）を受け取った通信網２００の局交換機は、終話を示すＤＩＳＣ信号（切断信号）を通報元の監視通報装置３００１に対して送信するとともに（シーケンスＳ７０）、監視通報装置３００１と監視センタ装置１００との間を接続しようとしていた通話回線を切断する。
【００９１】
以上のように、ＩＳＤＮ網を使用した場合においても、停電に関する通報情報つまり第１の通報情報を通報する場合は、特番‘１８６’（発信者番号通知）を先頭に付与して、監視センタ装置１００向けとして通信網２００に発信してくるので、監視センタ装置１００は、図４の場合と同様に、発信者番号を含むＳＥＴＵＰ信号による着信動作であることを判別して、同一監視地域からあらかじめ定めた時間内に規定件数以上の停電に関する通報を受け取っている場合は、地域停電の発生と推定して、今回の通報元の監視通報装置３００１との間をＥｎｄ−ｔｏ−Ｅｎｄ接続する通信フェーズにまで移行させることなく、ただちに切断フェーズに移行させることにより、地域停電に関する通報に要する回線保留時間を大幅に短縮させ、監視センタ装置１００に大量の停電通報が殺到することにより、回線の輻輳が発生することを抑止し、地域停電以外の緊急性がある第２の通報情報を受信可能なように動作する。
【００９２】
また、前述の各実施例においては、同一の監視地域に存在する複数の監視通報装置から停電に関する通報があった場合、地域停電と推定して、着信フェーズを終了した時点で、通信フェーズに移行することなく、ただちに切断フェーズに移行させる場合について説明した。すなわち、例えば、図５のフローチャートにおいては、ステップＳ２において発信者番号の通知があった場合であって、ステップＳ７、Ｓ８においてタイマ１６ａのあらかじめ定めた所定時間以内に、同一監視地域に存在する複数の監視通報装置から、あらかじめ定めた規定件数Ｎ件以上の件数に及ぶ停電に関する通報があった場合には、ステップＳ９の二次応答後に、ステップＳ１０においてただちに回線を開放して強制切断している。
【００９３】
しかし、本発明は、かかる場合に限るものではなく、着信フェーズの終了後に、ただちに強制切断フェーズに移行するのではなく、一旦、通信フェーズに移行して、監視センタ装置と監視通報装置との間のＥｎｄ−ｔｏ−Ｅｎｄの回線接続を行うようにしても良い。ここで、通信フェーズに移行した場合には、通常の通報シーケンスを用いて、監視センタ装置側から監視通報装置に対して、あらかじめ定めた一定時間経過後に通報情報を再送し直すことを指示する旨のメッセージを送信した後、回線の開放を行って強制切断するように動作させる。
【００９４】
かくのごとく、監視通報装置側の再通報タイミングについて監視センタ装置側にて制御することにより、監視センタ装置は地域停電以外の緊急性がある第２の通報情報がより受信し易くなるという効果が得られる。ただし、一旦、通信フェーズに移行したとしても、地域停電などの第１の通報情報や犯罪、事故の発生に関する第２の通報情報を通報する場合における通常の通報シーケンスの通信フェーズ時間と比較して、できるだけ短い時間とすることが必須である。
【００９５】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００９６】
【図１】本発明による監視システムのシステム構成の一例を示すシステム構成図である。
【図２】本発明による監視センタ装置のブロック構成の一例を示すブロック構成図である。
【図３】本発明による監視通報装置が停電以外の通報情報つまり第２の通報情報を送信する場合の信号シーケンスの一例を示す信号シーケンスチャートである。
【図４】本発明による監視通報装置が停電に関する通報情報つまり第１の通報情報を送信する場合の信号シーケンスの一例を示す信号シーケンスチャートである。
【図５】本発明による監視通報装置における通報情報の処理手順の一例を説明するためのフローチャートである。
【図６】ＩＳＤＮ通信網において本発明による監視通報装置が停電以外の通報情報つまり第２の通報情報を送信する場合の信号シーケンスの一例を示す信号シーケンスチャートである。
【図７】ＩＳＤＮ通信網において本発明による監視通報装置が停電に関する通報情報つまり第１の通報情報を送信する場合の信号シーケンスの一例を示す信号シーケンスチャートである。
【符号の説明】
【００９７】
１                              通信部
２                              制御部
３ａ                            センサ
３ｂ                            停電センサ
１１                            回線監視部
１１ａ                          極性検出回路
１１ｂ                          直流ループ検出回路
１１ｃ                          呼出信号検出回路
１２                            モデム部（信号受信部、信号送信部）
１２ａ                          回線捕捉回路
１３                            地域番号記憶部
１４                            モデム信号記憶部（信号記憶部）
１５                            入力／表示部
１６                            制御部
１６ａ                          タイマ
１００                          監視センタ装置
１００１、１００２、…、１００Ｎ  監視ブロック１、２、…、Ｎ
２００                          通信網
３００１、３００２、…、３００Ｍ  監視通報装置
５００                          監視システム
【図１】
2008097277.tif 000003
【図２】
2008097277.tif 000004
【図３】
2008097277.tif 000005
【図４】
2008097277.tif 000006
【図５】
2008097277.tif 000007
【図６】
2008097277.tif 000008
【図７】
2008097277.tif 000009